(57)【要約】【課題】腕状のアームレストにあっても、アームレストとしての機能を損なうことなく小物類を収納できるアームレストを提供する【解決手段】物品収納部３０を設けた補助アームレスト３を、自動車用座席１に設けた腕状のアームレスト２の肘掛面２１に、前記補助アームレスト３の下面に形成した逆Ｌ字の受段部３１にアームレスト２を巻回する取付具４を設けて、該補助アームレスト３を着脱自在に取り付ける。【選択図】図１
0003137020.tif 000002
【実用新案登録請求の範囲】
【請求項１】
物品収納部を設けた補助アームレストを、自動車用座席に設けた腕状のアームレストとの肘掛面に着脱自在に取り付けたことを特徴とするアームレスト。
【請求項２】
補助アームレストの下面に逆Ｌ字の受段部を形成するとともに該受段部にアームレストを巻回する取付具を設けて、該補助アームレストをアームレストの肘掛面に着脱自在に取り付けた請求項１に記載のアームレスト。
【請求項３】
取付具を帯状体よりなるものとして、帯状体に設けた面ファスナにより又は帯状体に設けた締め金具により、該帯状体を結束した請求項２に記載のアームレスト。
【請求項４】
物品収納部を補助アームレストの上部に上方を開口させた箱形よりなるものとして、前記開口を起伏自在に閉塞する蓋板の上面を施蓋時に肘掛面に形成した請求項１〜３の何れかに記載のアームレスト。
【請求項５】
物品収納部を補助アームレストの先端から出し入れできる抽斗よりなるものとした請求項１〜３の何れかに記載のアームレスト。
【考案の詳細な説明】
【技術分野】
【０００１】
本考案は、自動車用座席に設けた腕状のアームレストの肘掛面に補助アームレストを着脱自在に取り付けることできるアームレストに関するものである。
【背景技術】
【０００２】
自動車用座席に設けた腕状のアームレストとは、その構成から小物類を保管する機能がないものである（例えば、特許文献１参照）。そのため、小物類はコンソールボックスに収納するのを普通としていた。
【０００３】
しかしながら、コンソールボックスは座席より下方に位置するため小物類の出し入れが簡単に行うことができないものであった。
【特許文献１】特開２００１−３１４２７３公開特許公報（図３、図４及び図２６）
【考案の開示】
【考案が解決しようとする課題】
【０００４】
本考案は前記のような問題点を解決して、腕状のアームレストにあっても、アームレストとしての機能を損なうことなく小物類を収納できるアームレストを提供するためになされたものである。
【課題を解決するための手段】
【０００５】
本考案のアームレストは、物品収納部を設けた補助アームレストを、自動車用座席に設けた腕状のアームレストとの肘掛面に着脱自在に取り付けたことことを特徴とするものを基本の考案とする。
【０００６】
そして、補助アームレストの下面に逆Ｌ字の受段部を形成するとともに該受段部にアームレストを巻回する取付具を設けて、該補助アームレストをアームレストの肘掛面に着脱自在に取り付けたものとすることが好ましいものである。
【０００７】
また、取付具を帯状体よりなるものとして、帯状体に設けた面ファスナにより該帯状体を結束したものとしても、帯状体に設けた締め金具により該帯状体を結束したものとしてもよい。
【０００８】
さらに、物品収納部を補助アームレストの上部に上方を開口させた箱形よりなるものとして、前記開口を起伏自在に閉塞する蓋板の上面を施蓋時に肘掛面に形成したものとしてもよい。また、物品収納部を補助アームレストの先端から出し入れできる抽斗よりなるものとしてもよい。
【考案の効果】
【０００９】
前記のような本考案は、物品収納部を設けた補助アームレストを、自動車用座席に設けた腕状のアームレストとの肘掛面に着脱自在に取り付けものであるから、腕状のアームレストに何らかの加工を施すことなく補助アームレストにより物品収納部を得ることができるものである。
【００１０】
そして、補助アームレストの下面に逆Ｌ字の受段部を形成するものとすると、受段部がアームレストに係合して安定して装着できるととに、該受段部に設けた取付具のアームレストへの巻回作業も容易なものとなり、該補助アームレストをアームレストの肘掛面への着脱が容易なものである。
【００１１】
また、取付具を帯状体よりなるものとして、帯状体に設けた面ファスナにより該帯状体を結束したものとすれば、結束作業が容易なうえ無段階で結束でき太さの異なるアームレストに対応できるものである。また、帯状体に設けた締め金具により該帯状体を結束したものとしても前記と同様に結束作業が容易なうえ無段階で結束でき太さの異なるアームレストに対応できるものである。
【００１２】
さらに、物品収納部を補助アームレストの上部に上方を開口させた箱形よりなるものとして、前記開口を起伏自在に閉塞する蓋板の上面を施蓋時に肘掛面に形成したものとすれば、物品収納部に小物類を出し入れしない施蓋時には蓋板の上面が肘掛面となるので通常のアームレストして使用できるものである。また、物品収納部を補助アームレストの先端から出し入れできる抽斗よりなるものとすれば、抽斗を出した状態であっても、補助アームレストの上面を肘掛面として使用できるものである。
【考案を実施するための最良の形態】
【００１３】
次に、本考案の好ましい実施の形態を図面に基づき説明する。
図１において、１は自動車用座席であり、該自動車用座席１の室内側の側部には、腕状のアームレスト２が起伏自在に設けてある。３は前記腕状のアームレスト２の肘掛面２１に着脱自在に取り付ける補助アームレストであり、該補助アームレスト３には物品収納部３０が設けられている。
【００１４】
また、前記補助アームレスト３は下面に逆Ｌ字の受段部３１を形成するとともに該受段部３１にアームレスト２を巻回する取付具４を設けて、該補助アームレスト３をアームレスト２の肘掛面２１に着脱自在に取り付けるものである。
【００１５】
前記取付具４は図１―３に示すものにあっては、帯状体４１よりなるものとして、前記受段部３１に逢着、接着等の手段で取り付けて該帯状体４１の両端側の表裏面のどちらか一方に面ファスナ５の雄側面ファスナ５ａを他方に雌側面ファスナー５ｂを設けて該面ファスナ５を結束して、帯状体４１をアームレスト２に巻回して補助アームレスト３をアームレスト２に着脱自在に取り付けるものである。
【００１６】
また、図４に示すように取付具４を帯状体４２よりなるものとして、前記受段部３１に逢着、接着等の手段で取り付けて該帯状体４２の一方の端部に設けた締め金具６に帯状体４２の他方の端部を締め付けて、帯状体４２をアームレスト２に巻回して補助アームレスト３をアームレスト２に着脱自在に取り付けるもとしてもよい。なお、締め金具６を使用するものにあっては、帯状体４２が細幅のものを２本使用したものとしても良い。
【００１７】
なお、図１−図４に示す補助アームレスト３に設けた物品収納部３０を、補助アームレスト３の上部に上方を開口させた箱形のものとして、前記開口を起伏自在な蓋板３２で閉塞して施蓋時に蓋板３２の上面を肘掛面に形成したものとしている。このような構成を採用すれば、物品収納部３０に小物類を出し入れしない施蓋時には蓋板３２の上面が肘掛面となるので通常のアームレストして使用できるものである。また、物品収納部３０は上方を開口させた箱形のものであるので、肘掛面となる蓋板３２を開けても収納物が落下することなく出し入れができるものである。
【００１８】
また、図５に示すように物品収納部３０を補助アームレスト３の先端から出し入れできる抽斗よりなるものとすれば、抽斗を出した状態であっても、補助アームレストの上面を肘掛面として使用できるものである。
【図面の簡単な説明】
【００１９】
【図１】本考案の実施形態を示す斜視図。
【図２】補助アームレストの一例を示す斜視図。
【図３】自動車用座席と補助アームレストを示す斜視図。
【図４】補助アームレストの他例を示す斜視図。
【図５】物品収納部を抽斗よりなるものとした実施形態を示す斜視図。
【符号の説明】
【００２０】
１  自動車用座席
２  腕状のアームレスト
３  補助アームレスト
30  物品収納部
31  逆Ｌ字状の受段部
32  蓋板
４  取付具
41  帯状体
42  帯状体
５  面ファスナー
６  締め金具
【図１】
0003137020.tif 000003
【図２】
0003137020.tif 000004
【図３】
0003137020.tif 000005
【図４】
0003137020.tif 000006
【図５】
0003137020.tif 000007